(57)【要約】【課題】エレメント列の一端部に設けた蝶棒の、スライダーのエレメント通路への挿入を容易に行い得るものとして、操作性を有効に向上させることのできるスライダー固定部品及び、それを備えるスライドファスナーを提供する。【解決手段】この発明のスライダー固定部品１は、一方のスライダー１０１への装着姿勢で、一方のスライダー１０１の後口側端部１０１ａより突出して、他方のスライダー１０２側に延びる迫出し部分２を有し、該迫出し部分２の、他方のスライダー１０２に対向する箇所に、他方のスライダー１０２の一部が嵌め合わされる嵌合凹部３が形成されてなる。【選択図】図１
2015053995.tif 000002
【特許請求の範囲】
【請求項１】
対をなすエレメント列１０３ｂ、１０４ｂに、該エレメント列１０３ｂ、１０４ｂの延びる方向に沿って摺動する一対のスライダー１０１、１０２を、それぞれの後口側端部１０１ａ、１０２ａが互いに対向する向きで配置したスライドファスナー１００の、一方のスライダー１０１に装着され、一対のスライダー１０１、１０２相互の位置合わせに供されるスライダー固定部品１であって、
一方のスライダー１０１への装着姿勢で、一方のスライダー１０１の後口側端部１０１ａより突出して、他方のスライダー１０２側に延びる迫出し部分２を有し、該迫出し部分２の、他方のスライダー１０２に対向する箇所に、他方のスライダー１０２の一部が嵌め合わされる嵌合凹部３が形成されてなる、スライダー固定部品。
【請求項２】
前記一対のスライダー１０１、１０２がともに、上翼板１０７および下翼板１０８を連結柱１０９により互いに離隔した位置で連結するとともに上翼板１０７および下翼板１０８の相互間にエレメント通路１１３を設けたスライダー胴体１１０と、前記上翼板１０７の上面から隆起する引手取付部１１１に取り付けられて、使用者に把持される引手とを有するものであって、
一対のスライダー１０１、１０２の各後口側端部１０１ａ、１０２ａの、相互の突合せ状態で、前記迫出し部分２が、他方のスライダー１０２の上翼板１０７上に被さって位置するものとし、前記嵌合凹部３を、他方のスライダー１０２の引手取付部１１１の後口側端部１０２ａを左右両側から挟んで当該引手取付部１１１の後口側端部１０２ａを保持する形状としてなる、請求項１に記載のスライダー固定部品。
【請求項３】
一方のスライダー１０１、１０２のスライダー胴体１１０の上翼板１０７上面の後口側端部１０２ａに取り付けられる本体部分３４と、該本体部分３４から他方のスライダー１０２側に延びる前記迫出し部分３２とで構成してなる、請求項２に記載のスライダー固定部品。
【請求項４】
一方のスライダー１０１への装着姿勢で、該スライダー１０１の上翼板１０７の周囲を取り囲んで配置されて、当該上翼板１０７の、前記引手取付部１１１を含む上面を露出させる貫通孔４ａを設けた上側構成部材４と、上側構成部材４から離隔させて該スライダー１０１の下翼板１０８側に配置される下側構成部材５と、上側構成部材４及び下側構成部材５の相互を連結する連結部分６とで構成し、前記上側構成部材４及び下側構成部材５の相互間に該スライダー１０１のスライダー胴体１１０が挟み込まれるものとしてなる、請求項２または３に記載のスライダー固定部品。
【請求項５】
上側構成部材４と下側構成部材５との前記連結部分６を、上側構成部材４及び下側構成部材５の前方側領域に配置し、該連結部分６が、一方のスライダー１０１への装着姿勢で、該スライダー１０１の連結柱１０９の前方側に隣接して位置するものとしてなる、請求項４に記載のスライダー固定部品。
【請求項６】
前記下側構成部材５に、上側構成部材４との連結部分６の左右両側の少なくとも一方側に拡がって延びる板状に形成され、一方のスライダー１０１の肩口１１３ａの前方側に配置されるプレート状部分７を設け、下側構成部材５の前記プレート状部分７及び上側構成部材４により、エレメント列１０３ｂの一端部を前記エレメント通路１１３へ誘導するガイド通路８を区画してなる、請求項５に記載のスライダー固定部品。
【請求項７】
前記連結部分６の左右両側に拡がる前記プレート状部分７のそれぞれの、上側構成部材４側を向く各表面を、前方側に向かうに従い、上側構成部材４から次第に離れる下り傾斜面としてなる、請求項６に記載のスライダー固定部品。
【請求項８】
前記上側構成部材４の左右両側部のそれぞれに、該側部から下翼板１０８側に延びて上翼板１０７の側面を覆って配置され、上翼板１０７を把持するカバーフランジ９を設けてなる、請求項４〜７のいずれか一項に記載のスライダー固定部品。
【請求項９】
前記下側構成部材５の、上側構成部材４側を向く内面に、一方のスライダー１０１の下翼板１０８の前端面形状に整合する段差部１０を設けてなる、請求項４〜８のいずれか一項に記載のスライダー固定部品。
【請求項１０】
一対のファスナーテープ１０３ａ、１０４ａと、一対のファスナーテープ１０３ａ、１０４ａの、互いに対向するテープ側縁部のそれぞれに取り付けられて、複数のエレメントをテープ側縁部に沿って並べて配置してなるエレメント列１０３ｂ、１０４ｂと、エレメント列１０３ｂ、１０４ｂに、それぞれの後口側端部１０１ａ、１０２ａが互いに対向する向きで配置されて、エレメント列１０３ｂ、１０４ｂの延びる方向に沿って摺動して一対のエレメント列１０３ｂ、１０４ｂを相互に噛合ないし分離する一対のスライダー１０１、１０２とを備えるスライドファスナー１００であって、
一方の前記スライダー１０１に、請求項１〜９のいずれか一項に記載のスライダー固定部品１、３１を装着してなる、スライドファスナー。
【発明の詳細な説明】
【技術分野】
【０００１】
この発明は、エレメント列上に、一対のスライダーを後口側端部が相対する向きで配置してなる、いわゆる逆開き可能なスライドファスナーに用いるスライダー固定部品及び、それを備えるスライドファスナーに関するものであり、特には、それぞれのスライダーの各後口側端部を突き合わせた状態での、エレメント列の一端部の、スライダーのエレメント通路への挿入を容易に行い得るものとして、スライドファスナーの操作性を高める技術を提案するものである。
【背景技術】
【０００２】
たとえば衣類や鞄等の開口部分に、ファッション性ないし機能性その他の性能を付与することを目的として設けられるこの種のスライドファスナーは、特許文献１に記載されているように、それぞれの後口側端部で互いに対向する一対のスライダーのそれぞれが、エレメント列の延びる方向に沿って一端部から他端部まで摺動することにより、前記開口部分を、エレメント列の延びる方向の一端部及び他端部のいずれの端部からも開くことができるよう構成したものである。
【０００３】
かかる逆開き可能なスライドファスナーで、一方のエレメント列を他方のエレメント列から完全に分離させた後に、それらのエレメント列の相互を噛合させるには、他方のエレメント列に保持されている一対のスライダーをいずれも、そのエレメント列の一端部等の所定位置に摺動させるとともに、スライダーの各後口側端部を互いに突き合わせて配置して、スライダーの内部に延びるエレメント通路のそれぞれを連結させる。
そしてその状態で、一方のエレメント列の一端部に設けた蝶棒を、上記の如く連結させたエレメント通路の双方に挿入するとともに、他方のエレメント列の一端部の箱体に挿入し、その後、一方のスライダーを、エレメント列の他端部に向けて摺動させることで、対をなすエレメント列を噛合させることができる。
【先行技術文献】
【特許文献】
【０００４】
【特許文献１】特開平９−２２０１０４号公報
【発明の概要】
【発明が解決しようとする課題】
【０００５】
ところで、上述した逆開きタイプのスライドファスナーでは、一方のエレメント列の一端部に設けた蝶棒を、他方のエレメント列だけに保持されたスライダーのエレメント通路に挿入するべく、スライダーの相互を後口側端部で突き合わせて配置した際に、それらのエレメント通路の相互が少しでも左右ないし上下にずれていると、一方のエレメント列の蝶棒が、エレメント通路内で引っ掛かる等して、一方のエレメント列の一端部をエレメント通路に挿入することが困難になる。
この問題に対しては、一対のスライダーのそれぞれの形状を、後口側端部の突合せ状態で互いに係合可能な特殊なものに変更することや、箱棒に係止構造を設けること等によって対処することができるとも考えられるが、それらの対策は、一般的な形状で既に製造された既存のスライドファスナーには適用できず、それらの操作性の向上をもたらすことはできなかった。
【０００６】
この発明は、従来技術が抱えるこのような問題を解決することを課題とするものであり、それの目的とするところは、既存のスライドファスナーであっても、エレメント列の一端部の、スライダーのエレメント通路への挿入を容易に行い得るものとして、操作性を有効に向上させることのできるスライダー固定部品及び、それを備えるスライドファスナーを提供することにある。
【課題を解決するための手段】
【０００７】
この発明のスライダー固定部品は、対をなすエレメント列に、該エレメント列の延びる方向に沿って摺動する一対のスライダーを、それぞれの後口側端部が互いに対向する向きで配置したスライドファスナーの、一方のスライダーに装着され、一対のスライダー相互の位置合わせに供されるものであって、一方のスライダーへの装着姿勢で、一方のスライダーの後口側端部より突出して、他方のスライダー側に延びる迫出し部分を有し、該迫出し部分の、他方のスライダーに対向する箇所に、他方のスライダーの一部が嵌め合わされる嵌合凹部が形成されてなるものである。
なおここで、一対のスライダーはともに、上翼板および下翼板を連結柱により互いに離隔した位置で連結するとともに上翼板および下翼板の相互間にエレメント通路を設けたスライダー胴体と、前記上翼板の上面から隆起する引手取付部に取り付けられて、使用者に把持される引手とを有するものとすることができる。
【０００８】
この発明のスライダー固定部品では、一対のスライダーの各後口側端部の、相互の突合せ状態で、前記迫出し部分が、他方のスライダーの上翼板上に被さって位置するものとし、前記嵌合凹部を、他方のスライダーの引手取付部の後口側端部を左右両側から挟んで当該引手取付部の後口側端部を保持する形状とすることが好ましい。
【０００９】
なおこのスライダー固定部品は、一方のスライダーのスライダー胴体の上翼板上面の後口側端部に取り付けられる本体部分と、該本体部分から他方のスライダー側に延びる前記迫出し部分とで構成して、スライダー胴体の後口側端部に装着される部品とすることができる。
【００１０】
また、上記のスライダー固定部品は、一方のスライダーへの装着姿勢で、該スライダーの上翼板の周囲を取り囲んで配置されて、当該上翼板の、前記引手取付部を含む上面を露出させる貫通孔を設けた上側構成部材と、上側構成部材から離隔させて該スライダーの下翼板側に配置される下側構成部材と、上側構成部材及び下側構成部材の相互を連結する連結部分とで構成し、前記上側構成部材及び下側構成部材の相互間に、該スライダーのスライダー胴体を挟み込むものとして、スライダー胴体の全体に装着される部品とすることもできる。
【００１１】
このような、スライダー胴体の全体に装着される部品とした場合は、上側構成部材と下側構成部材との前記連結部分を、上側構成部材及び下側構成部材の前方側領域に配置し、該連結部分が、一方のスライダーへの装着姿勢で、該スライダーの連結柱の前方側に隣接して位置するものとすることが好ましい。
【００１２】
またこの場合、前記下側構成部材に、上側構成部材との連結部分の左右両側の少なくとも一方側に拡がって延びる板状に形成され、一方のスライダーの肩口の前方側に配置されるプレート状部分を設け、下側構成部材の前記プレート状部分及び上側構成部材により、エレメント列の一端部を前記エレメント通路へ誘導するガイド通路を区画することが好ましい。
ここでは、前記連結部分の左右両側に拡がる前記プレート状部分のそれぞれの、上側構成部材側を向く各表面を、前方側に向かうに従い、上側構成部材から次第に離れる下り傾斜面とすることがそれぞれ好ましい。
【００１３】
そしてまた、前記上側構成部材の左右両側部のそれぞれには、該側部から下翼板側に向けて延びて上翼板の側面を覆って配置され、上翼板を把持するカバーフランジを設けることが好ましい。
なお、前記下側構成部材の、上側構成部材側を向く内面には、一方のスライダー１０１の下翼板１０８の前端面形状に整合する段差部を設けることが好ましい。
【００１４】
またこの発明のスライドファスナーは、一対のファスナーテープと、一対のファスナーテープの、互いに対向するテープ側縁部のそれぞれに取り付けられて、複数のエレメントをテープ側縁部に沿って並べて配置してなるエレメント列と、エレメント列に、それぞれの後口側端部が互いに対向する向きで配置されて、エレメント列の延びる方向に沿って摺動して一対のエレメント列を相互に噛合ないし分離する一対のスライダーとを備えるものであって、一方の前記スライダーに、上記のいずれかのスライダー固定部品を装着してなるものである。
【００１５】
なお、上述したところにおいて、スライダーの「前方」とは、エレメント列の延びる方向のうち、エレメント列を噛合させる向きのスライダー摺動方向をいい、この一方で、「後方」とは、エレメント列を分離させる向きのスライダー摺動方向をいう。つまり、スライダーの前方側には肩口を備えており、スライダーの後方側には後口を備える。
また、スライダーの「左右」方向とは、ファスナーテープの平面上で、エレメント列の延びる方向に直交する方向をいう。そしてまた、スライダーの「上側」とは、ファスナーテープの平面に対し、使用者が把持する引手が存在する側であるファスナーテープ表面側をいい、また「下側」とは、その逆側であるファスナーテープ裏面側をいう。
【発明の効果】
【００１６】
この発明によれば、一方のスライダーへの装着姿勢で、スライダー固定部品の有する迫出し部分の、他方のスライダーに対向する箇所に、他方のスライダーの一部が嵌め合わされる嵌合凹部を形成したことにより、一対のスライダーの各後口側端部を互いに突き合わせた状態では、他方のスライダーの一部が上記の嵌合凹部に嵌り込んで、それらのスライダー相互の位置合わせが行われることになる。それにより、それぞれのスライダーに設けられる各エレメント通路が、位置ずれなしに整合して連結されて、そこにエレメント列の蝶棒を挿入させることが容易になるので、スライドファスナーの操作性を大きく向上させることができる。
しかもここでは、既存のスライドファスナーに対して後付け可能な部品としたことにより、スライドファスナー自体の形状等の設計変更を要せずして、上記の操作性の向上を実現することができる。
【図面の簡単な説明】
【００１７】
【図１】この発明のスライダー固定部品の一の実施形態を、スライダーへの装着姿勢で示す正面図である。
【図２】図１のスライダー固定部品を分解した状態で、それが装着されるスライダーとともに示す斜視図である。
【図３】一方のエレメント列を、他方のエレメント列に保持されたスライダーのエレメント通路に挿通する状態を示す正面図である。
【図４】図１のスライダー固定部品により、スライダーの相互を位置合わせした状態を示す斜視図である。
【図５】図１のスライダー固定部品を、上側構成部材と下側構成部材とを分解した状態で示す、スライダーの左右方向の中心位置を含む平面に沿う断面図である。
【図６】上側構成部材と下側構成部材とを連結した状態の、図５と同様の図である。
【図７】図１のスライダー固定部品の、下側構成部材の変形例を示す分解斜視図である。
【図８】この発明のスライダー固定部品の他の実施形態を、スライダー胴体への装着姿勢で示す正面図である。
【図９】図８のスライダー固定部品の、ＩＸ―ＩＸ線に沿う拡大断面図である。
【発明を実施するための形態】
【００１８】
以下に図面に示すところに基いて、この発明の実施の形態について詳細に説明する。
図１に示すスライダー固定部品１は、スライドファスナー１００が有する一対のスライダー１０１、１０２のうちの、いずれかのスライダー１０１もしくは１０２、ここでは図の上方側に位置する一方のスライダー１０１に装着されて使用されるものである。
【００１９】
なおここで、スライダー固定部品１が用いられるスライドファスナー１００は、図１に例示するように、図の左右方向に互いに隣り合わせに配置された一対のファスナーテープ１０３ａ、１０４ａと、それらのファスナーテープ１０３ａ、１０４ａのそれぞれの、互いに対向するテープ側縁部のそれぞれに取り付けられて、複数のエレメントをテープ側縁部に沿って並べて配置してなる各エレメント列１０３ｂ、１０４ｂとで構成される一対のファスナーストリンガー１０３、１０４、及び、エレメント列１０３ｂ、１０４ｂに、それぞれの後口側端部１０１ａ、１０２ａが互いに対向する向きで配置されて、エレメント列１０３ｂ、１０４ｂの延びる方向（図１では上下方向）に沿って摺動して一対のエレメント列１０３ｂ、１０４ｂを相互に噛合ないし分離する一対のスライダー１０１、１０２を備えてなる。上記の一対のファスナーストリンガー１０３、１０４を互いに噛合させてなるものを、スライドファスナーチェーンという。
【００２０】
また、エレメント列１０３ｂ、１０４ｂの両端は通常、スライダー１０１、１０２がエレメント列１０３ｂ、１０４ｂからはずれてしまわないように、抜け止め部が備えられている。この発明の実施の形態では、抜け止め部として、エレメント列１０３ｂ、１０４ｂの一端側（図１の下端側）には開離嵌挿具１０５が、また、他端側（図１の上端側）には上止１０６が備え付けられている。
開離嵌挿具１０５は、一方のエレメント列１０３ｂに蝶棒１０３ｃ、他方のエレメント列１０４ｂに箱棒１０４ｃを備えている。
逆開きタイプのスライダーに適用される開離嵌挿具１０５は、一対のスライダー１０１、１０２を開離嵌挿具１０５側まで移動させた状態で、箱棒１０４ｃを備えるファスナーストリンガー１０４に対して、蝶棒１０３ｃを備えるファスナーストリンガー１０３を抜き差しすることができる。
この操作によって、一対のファスナーストリンガー１０３、１０４を完全に分離、あるいは噛合わせのためのファスナーストリンガー１０３、１０４同士の位置決めを行うことができる。
【００２１】
上記の一対のスライダー１０１および１０２は、ともに金属材料もしくは合成樹脂材料その他の剛性材料にて形成することができ、また、互いに同じ構造を有するものとすることができる。
ここでは、スライダー１０１、１０２はいずれも、たとえば、図２に、スライドファスナーチェーンから取り外して示すように、ファスナーテープ１０３ａ、１０４ａの表面側に位置する上翼板１０７と、裏面側に位置する下翼板１０８との相互を、連結柱１０９により、たとえばスライダー１０１、１０２の前方側で連結してなるスライダー胴体１１０と、スライダー胴体１１０の上翼板１０７の上面から隆起させて設けた逆Ｕ字状の引手取付部１１１に取り付けた引手１１２とを有するものとしている。
【００２２】
これらのスライダー１０１、１０２では、スライダー胴体１１０の上翼板１０７の左右両側部のそれぞれに、該側部に沿って延びて下翼板１０８側に突出する下向きフランジ１０７ａを設けるとともに、下翼板１０８の左右両側部のそれぞれに、該側部に沿って延びて上翼板１０７側に突出する上向きフランジ１０８ａを設けている。
それにより、当該スライダー１０１、１０２ではスライダー胴体１１０の内側に、後口側端部から肩口側端部に向かう途中で二叉に分岐する略Ｙ字状のエレメント通路１１３が区画形成されることになる。なお、このエレメント通路１１３では、前方側に、エレメント通路１１３の分岐点で分離された各エレメント列１０３ｂ、１０４ｂの、スライダー内外への出入り口となるそれぞれの肩口１１３ａが形成され、また、後方側に、噛合したエレメント列１０３ｂ、１０４ｂの出入り口となる後口１１３ｂが形成される。
【００２３】
このような、いわゆる逆開きタイプのスライドファスナー１００によれば、引手１１２を把持した使用者が、エレメント列１０３ｂ、１０４ｂ上で、一方のスライダー１０１を他方のスライダー１０２に向けて摺動させることで、その一方のスライダー１０１の後方側で、一対のエレメント列１０３ｂ、１０４ｂの噛合状態を解除して、それらのエレメント列１０３ｂ、１０４ｂを分離させて開くことができ、また、他方のスライダー１０２を一方のスライダー１０１に向けて摺動させることで、その他方のスライダー１０２の後方側で、エレメント列１０３ｂ、１０４ｂを分離させて開くことができる。
【００２４】
ところで、上述した逆開きタイプのスライドファスナー１００で、一方のエレメント列１０３ｂを他方のエレメント列１０４ｂから完全に分離させるには、たとえば、一方および他方のスライダー１０１、１０２をいずれも、後口側端部１０１ａ、１０２ａの相互の突合せ状態で、エレメント列１０３ｂ、１０４ｂの、離開嵌挿具１０５を備える端部に位置させ、その後、蝶棒１０３ｃを、それぞれのスライダー１０１、１０２の各エレメント通路１１３及び箱棒１０４ｃから引き抜くことにより行うことができる。
【００２５】
そして、このように、一方のエレメント列１０３ｂを完全に分離した状態から、一方及び他方のエレメント列１０３ｂ、１０４ｂを相互に噛合させるには、図３（ａ）に示すように、スライダー１０１、１０２を保持している箱棒１０４ｃを備えるエレメント列１０４ｂの一端部に、一対のスライダー１０１、１０２を、後口側端部１０１ａ、１０２ａの突合せ状態で位置させ、次いで、完全に分離された蝶棒１０３ｃを備えるエレメント列１０３ｂを、その蝶棒１０３ｃから、図３（ａ）に矢印で示すように、上記のスライダー１０１、１０２の各エレメント通路１１３に挿入して、図３（ｂ）に示す状態とした後、一方のスライダー１０１を他方のスライダー１０２から離隔する向きに摺動させる。
【００２６】
ここにおいて、蝶棒１０３ｃを備えるエレメント列１０３ｂをスライダー１０１、１０２のエレメント通路１１３に挿入するに際し、一対のスライダー１０１、１０２の後口側端部１０１ａ、１０２ａを相互に突き合わせた状態で、それらの内側に延びるエレメント通路１１３が互いにずれていると、蝶棒１０３ｃの挿入が困難となる場合がある。
【００２７】
このことに対処するため、この発明では、スライダー１０１及び１０２のそれぞれの後口側端部１０１ａ、１０２ａを相互に突き合わせた状態で、スライダー１０１及び１０２の相互の位置合わせをするべく機能するスライダー固定部品１を、たとえば一方のスライダー１０１に装着して用いる。
エラストマー製もしくは合成樹脂製等のこのスライダー固定部品１は、一方のスライダー１０１に装着された姿勢で、そのスライダー１０１の後口側端部１０１ａ近傍から他方のスライダー１０２側に突出して延びる迫出し部分２を有するものであり、この迫出し部分２の、他方のスライダー１０２への対向箇所に、他方のスライダー１０２の一部が嵌合可能な嵌合凹部３を設けたものである。
【００２８】
このことによれば、図３に示すように、スライダー固定部品１を装着した一方のスライダー１０１を他方のスライダー１０２に接近させ、それぞれの後口側端部１０１ａ、１０２ａを互いに突き合わせた図示の状態では、スライダー固定部品１の迫出し部分２の、他方のスライダー１０２と向き合う箇所に設けた嵌合凹部３に、他方のスライダー１０２の一部（たとえば後口側端部１０２ａ）が嵌まり込んで受容されるので、それらのエレメント通路１１３が互いに整合して連結されることになる。その結果として、それらのエレメント通路１１３への、エレメント列１０３ｂの一端部に設けた蝶棒１０３ｃの挿入が容易となり、操作性の向上を実現することができる。
【００２９】
しかもここでは、スライダー固定部品１を、スライダー１０１、１０２の一部ではなく、スライダー１０１、１０２とは別個独立した部品としたことにより、既存のスライドファスナー１００のスライダー１０１、１０２に、後付けで取り付けることができるので、汎用性に優れるとともに、スライダー１０１、１０２それ自体の形状変更は不要である。
【００３０】
なお、嵌合凹部３のサイズは、スライダー相互の上下、左右方向等の位置ずれを防止可能な大きさとする。従って、嵌合凹部３は、他方のスライダー１０２の一部が嵌り込んだ際に、その他方のスライダー１０２の一部が嵌合凹部３の内面に摩擦係合する程度に小さなものとしたり、あるいは、他方スライダー１０２の一部が、嵌合凹部３の内面への非接触状態で嵌合凹部３に緩く嵌り込む程度に大きなものとしたりすることができる。
また、他方のスライダー１０２の一部がスライダー固定部品１の嵌合凹部３に直接的に嵌り込む場合の他、図示は省略するが、他方のスライダー１０２にも、スライダー固定部品１と対応する部品を装着し、他方のスライダー１０２の一部が、当該対応部品を介して間接的に、スライダー固定部品１の嵌合凹部３に嵌り込むものとすることも可能である。
【００３１】
ここで、スライダー固定部品１は、スライダー後口側端部１０１ａ、１０２ａの突合せ状態で、スライダー１０１及び１０２の相互を適正な位置で保持できればよいので、迫出し部分２に設ける嵌合凹部３は、他方のスライダー１０２のいずれかの部分が嵌まり込むものであればよい。従って、他方のスライダー１０２の、嵌合凹部３に嵌り込む部分としては、たとえば、上翼板、下翼板等が考えられる。
但し、スライダー１０１、１０２の相互を、エレメント列１０３ｂ、１０４ｂの延びる方向に直交する左右方向及び、ファスナーテープ１０３ａ、１０４ａの平面に直交する上下方向のいずれの方向に対しても位置ずれなしに確実に固定するとの観点からは、嵌合凹部３は、図示の実施形態のように、他方のスライダー１０２の上翼板１０７に設けた引手取付部１１１の後口側端部１０２ａが嵌り込む態様とすることが好ましい。
【００３２】
すなわち、この発明のスライダー固定部品１では、図４に、スライダー後口側端部１０１ａ、１０２ａの突合せ状態で示すように、上記の迫出し部分２が、他方のスライダー１０２の有する上翼板１０７の上面の後口側端部１０２ａに被さって位置するものとし、そして、その迫出し部分２の嵌合凹部３を、上翼板１０７の上面に設けた引手取付部１１１の後口側端部１０２ａを左右両側から挟んで保持する形状とすることが好適である。
それにより、後口側端部同士の突合せ状態で、他方のスライダー１０２の上翼板１０７上に位置する平板状の迫出し部分２が、当該上翼板１０７を下方に押し付けて、スライダー相互間の上下方向の位置ずれを防止するとともに、引手取付部１１１の後口側端部１０２ａを左右両側から挟む嵌合凹部３が、左右方向の位置ずれを防止するので、スライダー１０１、１０２の相互が強固に固定されることになる。
【００３３】
ところで、スライダー固定部品は、後述する他の実施形態のように、スライダー胴体１１０の上翼板１０７上面の後口側端部１０２ａだけに装着されるものとすることも可能であるが、スライダー胴体１１０の全体を覆って装着される部品とすることができる。
より詳細には、この実施形態は、図２に分解斜視図で示すところから明らかなように、一方のスライダー１０１の上翼板１０７の周囲を取り囲んで配置されて、上翼板１０７の、引手取付部１１１を含む上面を露出させる貫通穴４ａを設けた上側構成部材４と、上側構成部材４から離隔させて配置される下側構成部材５と、それらの上側構成部材４及び下側構成部材５の相互を連結する連結部分６とで構成している。そして、このスライダー固定部品１は、図５及び６に断面図で示すように、上側構成部材４及び下側構成部材５の相互間に、一方のスライダー１０１を挟み込むことで、スライダー胴体１１０の全体を覆って、スライダー１０１に装着される。
【００３４】
なお、スライダー胴体１１０の全体を覆うこのスライダー固定部品１の装着により、たとえば衣類等の、スライダー１０１の周囲に存在する生地の、スライダー１０１への噛み込みを防止することができる他、スライダー１０１が使用者等の肌に直接触れることを抑制して、使用者が感じる冷感を軽減することができる。
【００３５】
ここで、スライダー胴体１１０を覆うスライダー固定部品１では、一方のスライダー１０１に装着した状態で、その前方側及び後方側のそれぞれから、スライダー１０１のエレメント通路１１３に挿通されたエレメント列１０３ｂ、１０４ｂが延在することになるので、上側構成部材４と下側構成部材５との連結部分６は、スライダー１０１の、エレメント列１０３ｂ、１０４ｂを分岐させる連結柱１０９の前方側に隣接させて位置させることが、配置スペース上の観点から好ましい。
【００３６】
なお、このスライダー固定部品１の上側構成部材４では、平面視で、中央に位置する貫通穴４ａの前方の前端側領域に、前方側に突出する前記連結部分６を配置し、そして、貫通穴４ａの左右両側には、翼状に拡がる左右翼部４ａを、また、貫通穴４ａの後端側には、先述の嵌合凹部３を設けた迫出し部分２を設けている。
【００３７】
このスライダー固定部品１は２部材により構成されており、上側構成部材４及び下側構成部材５が連結部分６の略中央で分割した第１部材と第２部材とから構成される。
そして、図５、６に示すように、スライダー固定部品１の前端側で、上側構成部材４に設けた下方への突起部６ａと、下側構成部材５に設けた突起受容孔部６ｂとで構成することができる。
つまり、この実施形態では、上側構成部材４の、略円筒形状を有する突起部６ａを、下側構成部材５に設けた円筒部分の内側の、全体として突起部６ａの外径よりも大きい突起受容孔部６ｂに挿入し、突起部６ａの外周面に設けた環状溝部に、突起受容孔部６ｂに設けた環状突出箇所を嵌め合わせて、それらを係合させることにより、連結部分６を構成している。
【００３８】
またここで、この実施形態では、下側構成部材５に、上側構成部材４との連結部分６の左右両側に拡がって延びる板状のプレート状部分７を設けることが好ましい。それらのプレート状部分７のそれぞれは、スライダー固定部品１を一方のスライダー１０１に装着した姿勢で、図４に示すように、そのスライダー１０１の肩口１１３ａの前方側に配置されて、一方のエレメント列端部に設けた蝶棒１０３ｃをエレメント通路１１３に挿入する際に、当該エレメント列１０３ｂをエレメント通路１１３へ誘導するガイド通路８の区画に寄与する。
その結果として、一方のエレメント列１０３ｂの蝶棒１０３ｃの、エレメント通路１１３への挿入をさらに容易に行うことが可能になる。
【００３９】
なお、プレート状部分７は、下側構成部材５の、上側構成部材４との連結部分６の左右両側のうち、少なくとも、蝶棒１０３ｃを設けたエレメント列１０３ｂが挿通する側に一枚設けることで、上記の効果を発揮することができるので、必ずしも、連結部分６の左右両側に二枚設けることを要しない。
【００４０】
この場合において、プレート状部分７のそれぞれの、上側構成部材４側を向く各表面は、前方側に向かうに従い、上側構成部材４の、前方側への仮想延長部分から次第に離れる、平坦面状もしくは曲面状の下り傾斜面とすることが好ましい。それにより、ガイド通路８の入り口側が広くなって、さらにエレメント列１０３ｂの挿入が容易になる。
【００４１】
この一方で、上記のプレート状部分７を設けないことも可能であり、この場合、下側構成部材２５は、図７に例示するように、平面視で略ホームベース状をなすものとすることができる。
【００４２】
ところで、スライダー固定部品１を一方のスライダー１０１へより強固かつ確実に装着して、スライダー１０１からのスライダー固定部品１の、意図しない外れを防止するため、上側構成部材４の左右両側部のそれぞれには、その側部から下翼板１０８側に延びて上翼板１０７の側面を覆って配置されるカバーフランジ９を設けることが好ましい。それらのカバーフランジ９により、上翼板１０７を左右両側から囲んで把持することができ、しかも、スライダー１０１の上翼板１０７の側面の、肌への接触に起因する冷感を軽減することができるからである。
またここでは、カバーフランジ９を、上翼板１０７の下向きフランジ１０７ａの下端縁よりも下方に突出させて設けることが好適であり、この場合、カバーフランジ９により、上翼板１０７の下向きフランジ１０７ａと下翼板１０８の上向きフランジ１０８ａとの間への生地の噛み込みを抑制することができる。
【００４３】
また、スライダー固定部品１の、スライダー１０１への装着性を高めるため、下側構成部材５の、上側構成部材４側を向く内面には、一方のスライダー１０１の下翼板１０８の、例えば曲面状の前端面形状に一致して、これに整合する段差部１０を設け、そして、スライダー１０１への装着姿勢で、スライダー１０１の下翼板前端面を、当該段差部１０に当接させるとともに、下翼板１０８を、その段差部１０による段下がり領域に配置することが好ましい。
なお図示は省略するが、上記の段差部１０の配設に加えて、下側構成部材５の内面には、下翼板１０８の後口側端部１０１ａに当接して、前記段差部１０との間で下翼板１０８を前後方向の両側から挟み込む壁部を設けることもできる。
【００４４】
なおここで、このスライダー固定部品１では、下側構成部材５の下面に、図６に示すように、複数の曲面状の突出部分１１を設けている。下側構成部材５の下面と、使用者の肌との間に存在することになる突出部分１１は、下側構成部材５の下面の、使用者の肌との接触面積を大きく低減させるとともに、それらの間に空気層を形成することから、金属製等のスライダー１０１による冷感の軽減に大きく寄与する。
但し、このような突出部分１１の形成は必須の構成ではない。
【００４５】
図８及び９に示す他の実施形態のスライダー固定部品３１は、一方のスライダー１０１への装着姿勢で、一方のスライダー１０１の後口側端部１０１ａの周囲から突出して他方のスライダー１０２側に延びる迫出し部分３２と、迫出し部分３２に連続して形成されて、一方のスライダー１０１が有するスライダー胴体の上翼板１０７上面の後口側端部１０１ａに取り付けられる本体部分３４とで構成したものである。
このような他の実施形態でも、一対のスライダー１０１、１０２の後口側端部１０１ａ、１０２ａの、相互の突合せ状態で、迫出し部分３２が、他方のスライダー１０２の上翼板１０７上に被さって位置するものとし、迫出し部分３２に設けた嵌合凹部３３を、他方のスライダー１０２の引手取付部１１１の後口側端部１０２ａを左右両側から挟んで当該引手取付部１１１の後口側端部１０２ａを保持する形状とすることが好ましい。それにより、図８に示すところでは、スライダー固定部品３１は、平面視で全体としてＨ字状をなす。
【００４６】
以上に述べたスライダー固定部品によれば、逆開き可能なスライドファスナーのいずれかのスライダーに装着することにより、一対のスライダーの各後口側端部を突き合わせた状態での、エレメント列の一端部の、スライダーのエレメント通路への挿入を容易に行うことができるので、スライドファスナーの操作性を効果的に向上させることができる。
【符号の説明】
【００４７】
１、３１  スライダー固定部品
２、３２  迫出し部分
３、３３  嵌合凹部
４  上側構成部材
４ａ  翼部
５、２５  下側構成部材
６  連結部分
６ａ  突起部
６ｂ  突起受容孔部
７  プレート状部分
９  カバーフランジ
１０  段差部
３４本体部分
１００  スライドファスナー
１０１、１０２  スライダー
１０１ａ、１０２ｂ  後口側端部
１０３ａ、１０４ａ  ファスナーテープ
１０３ｂ、１０４ｂ  エレメント列
１０３ｃ  蝶棒
１０４ｃ  箱棒
１０５  離開嵌挿具
１０６  上止
１０７  上翼板
１０７ａ  下向きフランジ
１０８  下翼板
１０８ａ  上向きフランジ
１０９  連結柱
１１０  スライダー胴体
１１１  引手取付部
１１２  引手
１１３  エレメント通路
１１３ａ  肩口
１１３ｂ  後口
【図１】
2015053995.tif 000003
【図２】
2015053995.tif 000004
【図３】
2015053995.tif 000005
【図４】
2015053995.tif 000006
【図５】
2015053995.tif 000007
【図６】
2015053995.tif 000008
【図７】
2015053995.tif 000009
【図８】
2015053995.tif 000010
【図９】
2015053995.tif 000011